(57)【要約】【課題】撮像機能と送信機能のみを備えている撮像装置を利用して所望の画像処理サービスを受けることができる画像処理システムおよび画像処理方法を提供する。【解決手段】被写体を撮像する撮像装置１０１と、画像処理をおこなう情報処理装置１０３と、画像処理の指示内容データを情報処理装置１０３に送信する操作装置１０２とから画像処理システム１００が構成される。情報処理装置１０３からの指示内容コードデータを操作装置１０２にて受信し、受信された指示内容コードデータを表示して撮像装置１０１にて撮像する。被写体と指示内容コードデータ双方の画像データを撮像装置１０１から情報処理装置１０３に送信し、指示内容コードデータに基づいて被写体の画像データを画像処理するものである。【選択図】図１
2007282100.tif 000002
【特許請求の範囲】
【請求項１】
撮像装置と、情報処理装置と、操作装置とがネットワークを介して接続される画像処理システムにおいて、
前記操作装置は、画像処理の指示内容データを前記情報処理装置に送信するとともに、前記情報処理装置から指示内容コードデータを受信する送受信手段と、該指示内容コードデータを表示する表示手段とを備え、
前記撮像装置は、被写体及び前記表示手段に表示された指示内容コードデータを撮像する撮像手段と、前記撮像手段により撮像された被写体及び指示内容コードデータの画像データを互いに対応づけて前記情報処理装置に送信する送信手段とを備え、
前記情報処理装置は、前記操作装置から受信した指示内容データに基づいて指示内容コードデータを作成する作成手段と、該作成された指示内容コードデータを前記操作装置に返信する返信手段と、前記撮像装置から受信した指示内容コードデータに基づいて前記撮像装置から受信した被写体の画像データを画像処理する画像処理手段とを備えることを特徴とする画像処理システム。
【請求項２】
前記送信手段は、前記情報処理装置との間で無線でデータ送信することを特徴とする請求項１記載の画像処理システム。
【請求項３】
前記送受信手段は、前記情報処理装置との間で無線でデータ通信することを特徴とする請求項１または２に記載の画像処理システム。
【請求項４】
前記撮像装置及び前記操作装置は、携帯情報端末であることを特徴とする請求項１乃至３のいずれかに記載の画像処理システム。
【請求項５】
前記撮像装置は、デジタルカメラであることを特徴とする請求項１から３のいずれかに記載の画像処理システム。
【請求項６】
撮像装置によって撮像された画像データを、操作装置に接続される情報処理装置にて画像処理する画像処理方法であって、
前記操作装置にて画像処理の指示内容データを情報処理装置に送信する第１ステップと、前記情報処理装置にて当該指示内容データに基づいて指示内容コードデータを作成し、前記操作装置に返信する第２ステップと、該情報処理装置からの指示内容コードデータを前記操作装置にて受信し、受信された指示内容コードデータを表示する第３ステップと、前記撮像装置にて被写体および前記表示された指示内容コードデータを撮像する第４ステップと、当該撮像された被写体および指示内容コードデータの画像データを前記撮像装置から前記情報処理装置に送信する第５ステップと、該情報処理装置にて受信した画像データに含まれる指示内容コードデータに基づいて被写体の画像データを画像処理する第６ステップとを含むことを特徴とする画像処理方法。
【請求項７】
撮像装置によって撮像された画像データを、操作装置に接続される情報処理装置にて画像処理する画像処理方法であって、
前記撮像装置にて被写体を撮像する第１ステップと、前記操作装置にて画像処理の指示内容データを情報処理装置に送信する第２ステップと、前記情報処理装置にて当該指示内容データに基づいて指示内容コードデータを作成し、前記操作装置に返信する第３ステップと、該情報処理装置からの指示内容コードデータを前記操作装置にて受信し、受信された指示内容コードデータを表示する第４ステップと、前記撮像装置にて当該表示された指示内容コードデータを撮像する第５ステップと、前記撮像された被写体および指示内容コードデータの画像データを前記撮像装置から前記情報処理装置に送信する第６ステップと、該情報処理装置にて受信した画像データに含まれる指示内容コードデータに基づいて被写体の画像データを画像処理する第７ステップとを含むことを特徴とする画像処理方法。
【発明の詳細な説明】
【技術分野】
【０００１】
本発明は、画像処理システムおよび画像処理方法に関する。
【背景技術】
【０００２】
インターネットと無線接続が可能なデジタルカメラの出現により、外出先で撮影した画像を直ちにウェブサービスなどインターネット上で公開されたサービスに送ることが可能になっている。
【０００３】
その結果、一般に携帯可能な小型のデジタルカメラに実装することが困難な複雑な処理であっても、わざわざ画像を持ち帰ってパーソナルコンピュータ（ＰＣ）で処理することなく、ネットワーク上に配置されたサービスに処理を直ちに依頼することが可能となった。
【０００４】
例えばこのようなサービスの例として、画像に強調やノイズ除去などの処理を施すサービスや、画像中に書かれた文字を認識して分類をおこない、最適な保管場所へと自動転送するサービスがある。
【０００５】
また、これらのサービスに対して、複数の適用可能な処理の中から選択的に処理方法を選定するに際し、画像とその処理の方法をコード化したものを対応づけて送信する技術も知られている。
【０００６】
例えば、特許文献１に開示される技術を用いれば、まず、電子メール機能を有するカメラが、処理対象画像に処理コマンドを付加した電子メールを中継サーバに送信する。すると、中継サーバは、受信した電子メールに添付されている画像データに対して、付加されている処理コマンドに基づいて処理を行い、処理後のデータを電子メールに添付して受信装置に送信することが記載されている。
【特許文献１】特開２００２−６３１２０号公報
【発明の開示】
【発明が解決しようとする課題】
【０００７】
インターネットで提供されるサービスが日々拡大していく中で、新たなサービスを利用するためには、デジタルカメラからその新たなサービスを提供するサーバに処理指示を送信する必要がある。
【０００８】
しかしながら、処理指示をユーザが手入力で快適に設定できるようなユーザインターフェイス（ＵＩ）をデジタルカメラ上に実装することは、コスト的な問題やデジタルカメラ上のボタン配置の問題などがある。また、処理指示を電子的に入力するために、デジタルカメラに電子メールの送受信手段を加えることは、実装のコストを増大させることにも繋がる。
【０００９】
特許文献１に開示のデータ通信システムは、デジタルカメラ等の電子機器から、原データと処理コマンドをメールサーバに送信し、ネットワーク上で処理コマンドに基づいて原データを処理し、処理後のデータを受信側の電子機器にて受信するものである。しかし、かかるデータ通信システムでは、送信側の電子機器（カメラ）において原データに処理コマンドが記入されたタグを付加して電子メールとしてメールサーバに送信するものあり、タグの内容を電子機器側で入力等する煩雑さは否めない。また、ネットワーク上に多様に存在する処理コマンドの選択を電子機器側でどのように選択するのか具体的な選択方法の開示はない。
【００１０】
本発明は、上記する問題に鑑みてなされたものであり、所望の画像処理サービスを簡単に受けることができる画像処理システムおよび画像処理方法を提供することを目的とする。
【課題を解決するための手段】
【００１１】
上記目的を達成するために、請求項１記載の画像処理システムは、撮像装置と、情報処理装置と、操作装置とがネットワークを介して接続される画像処理システムにおいて、前記操作装置は、画像処理の指示内容データを前記情報処理装置に送信するとともに、前記情報処理装置から指示内容コードデータを受信する送受信手段と、該指示内容コードデータを表示する表示手段とを備え、前記撮像装置は、被写体及び前記表示手段に表示された指示内容コードデータを撮像する撮像手段と、前記撮像手段により撮像された被写体及び指示内容コードデータの画像データを互いに対応づけて前記情報処理装置に送信する送信手段とを備え、前記情報処理装置は、前記操作装置から受信した指示内容データに基づいて指示内容コードデータを作成する作成手段と、該作成された指示内容コードデータを前記操作装置に返信する返信手段と、前記撮像装置から受信した指示内容コードデータに基づいて前記撮像装置から受信した被写体の画像データを画像処理する画像処理手段とを備えることを特徴とする。
【００１２】
請求項６記載の画像処理方法は、撮像装置によって撮像された画像データを、操作装置に接続される情報処理装置にて画像処理する画像処理方法であって、前記操作装置にて画像処理の指示内容データを情報処理装置に送信する第１ステップと、前記情報処理装置にて当該指示内容データに基づいて指示内容コードデータを作成し、前記操作装置に返信する第２ステップと、該情報処理装置からの指示内容コードデータを前記操作装置にて受信し、受信された指示内容コードデータを表示する第３ステップと、前記撮像装置にて被写体および前記表示された指示内容コードデータを撮像する第４ステップと、当該撮像された被写体および指示内容コードデータの画像データを前記撮像装置から前記情報処理装置に送信する第５ステップと、該情報処理装置にて受信した画像データに含まれる指示内容コードデータに基づいて被写体の画像データを画像処理する第６ステップとを含むことを特徴とする。
【００１３】
請求項７記載の画像処理方法は、撮像装置によって撮像された画像データを、操作装置に接続される情報処理装置にて画像処理する画像処理方法であって、前記撮像装置にて被写体を撮像する第１ステップと、前記操作装置にて画像処理の指示内容データを情報処理装置に送信する第２ステップと、前記情報処理装置にて当該指示内容データに基づいて指示内容コードデータを作成し、前記操作装置に返信する第３ステップと、該情報処理装置からの指示内容コードデータを前記操作装置にて受信し、受信された指示内容コードデータを表示する第４ステップと、前記撮像装置にて当該表示された指示内容コードデータを撮像する第５ステップと、前記撮像された被写体および指示内容コードデータの画像データを前記撮像装置から前記情報処理装置に送信する第６ステップと、該情報処理装置にて受信した画像データに含まれる指示内容コードデータに基づいて被写体の画像データを画像処理する第７ステップとを含むことを特徴とする。
【発明の効果】
【００１４】
本発明によれば、撮像装置は、撮像機能と送信機能のみを備えているだけで、処理指示コードの画像データと処理対象である被写体の画像データを多様な処理サービスを有する情報処理装置に対して送信することにより、所望の画像処理サービスを受けることができる。
【発明を実施するための最良の形態】
【００１５】
以下、図面を参照して本発明の実施の形態を説明する。
【００１６】
（第１の実施の形態）
図1は、本発明の第１の実施の形態に係る画像処理システムの構成図である。なお、本実施の形態では、撮像装置としてデジタルカメラを取り上げるが、本発明の画像処理システムに適用される撮像装置はデジタルカメラに限定されるものではない。例えば、上記撮像装置は、デジタルビデオカメラ、携帯電話に搭載されるカメラ等、被写体を静止画ないしは動画として撮像できる他の機器のすべてを含むものである。
【００１７】
この画像処理システム１００は、携帯可能なデジタルカメラ１０１、ＰＤＡ（Personal Digital Assistance）やパーソナルコンピュータなどの操作装置１０２、及び情報処理装置１０３（画像処理サーバ）から構成されている。
【００１８】
情報処理装置１０３は、インターネット１０４上に存在し、デジタルカメラ１０１と情報処理装置１０３は、アクセスポイント１０５を通して無線公衆回線などの通信路１０６経由による通信が可能となっている。
【００１９】
情報処理装置１０３は、操作装置１０２から処理内容を示すデータに基づいてディスプレイ等に表示可能な可視のシンボル画像データを作成するデータ作成部１３１と、該作成された画像データを操作装置１０２に返信する返信部１３２とを備えている。さらに、情報処理装置１０３は、デジタルカメラ１０１から受信したシンボル画像データを撮影した画像に基づいてデジタルカメラ１０１から受信した被写体の画像データを画像処理する画像処理部１３３とを備えている。
【００２０】
また操作装置１０２とデジタルカメラ１０１も同様に、アクセスポイント１０７を通じて無線公衆回線などの通信路１０８経由による通信が可能となっている。
【００２１】
デジタルカメラ１０１は、被写体を撮影して電子画像に変換する撮像部１１１と、撮影した画像を通信路１０６を通して無線で送信する送信部１１２を有している。
【００２２】
操作装置１０２は、スタイラス、タッチパネル、又はキーボードなどのユーザ指示を入力する指示入力部１２１、液晶ディスプレイなどのデータを可視化する表示部１２２、データを無線で送受信する送受信部１２３を備えている。撮像装置１０２は、ユーザの指示を通信路１０８およびアクセスポイント１０７経由で情報処理装置１０３に送信し、又は情報処理装置１０３からの応答データを受信して表示部１２２に表示する。
【００２３】
情報処理装置１０３は、画像処理を設定するためのＷｅｂページを公開し、インターネット１０４に接続可能な装置であり、ブラウザアプリケーションを操作することにより所望の設定をおこなうができる。
【００２４】
次に、本発明の画像処理システム１００の動作について、図２のフローチャートに基づいて以下に説明する。
【００２５】
ステップＳ２０１では、ユーザは操作装置１０２を用いて情報処理装置１０３に接続し、デジタルカメラ１０１から後で送信される画像データに対して為される所望の画像処理の内容を設定する操作を情報処理装置１０３にておこなう。
【００２６】
ここで、ステップＳ２０１は例えば以下のように実現される。
【００２７】
ユーザは屋外で操作装置１０２を操作し、インターネット上のＷｅｂページを閲覧するブラウザアプリケーションを起動し、情報処理装置１０３を示すＵＲＩ（Uniformed Resource Identifier）を指定し、画像処理に関する設定指示が可能なＷｅｂページ（以下設定ページという）の取得を要求する。
【００２８】
前記要求は、ＨＴＴＰ（Hyper Text Transfer Protocol）のデータ取得コマンドとして操作装置１０２の送受信部１２３から、通信路１０８およびアクセスポイント１０７経由でインターネット１０４上の画像処理サーバ１０３へと伝えられる。
【００２９】
要求を受けとった情報処理装置１０３は、予め情報処理装置１０３内に保存されている設定ページのデータファイルを操作装置１０２へと返送する。
【００３０】
操作装置１０２は、受けとった設定ページのデータファイルをブラウザで解釈するとともに表示部１２２上に表示する。
【００３１】
次に、操作装置１０２に表示される設定ページの一例を図３に示す。
【００３２】
図３の設定ページは、４つの入力フォーム３０１〜３０４と、これらの入力フォームに入力された文字列、数値などを情報処理装置１０３へ送信する設定完了ボタン３０５とを備えている。
【００３３】
フォーム３０１は、ユーザ名やユーザＩＤを入力するフォームであり、フォーム３０２はパスワードを入力するフォームである。フォーム３０１で入力されたユーザ名やユーザＩＤ、及びフォーム３０２で入力されたパスワードはユーザ認証に用いられる。
【００３４】
フォーム３０３は、送信される画像に対する処理の内容を番号で入力するフォームであり、フォーム３０４は、処理された画像データを別の計算機（パーソナルコンピュータ）など、固定の転送先に送信する場合の転送先入力フォームである。
【００３５】
ここで、フォーム３０３で指定できる処理内容としては、「１．加工せずに下記へ送信」、「２．ノイズ除去をして下記へ送信」、「３．画像から抽出した名前を付けて下記へ送信」、及び「４．自動で分類先へ送信」があり、これらのうちいずれか１つが選択できる。
【００３６】
なお、本発明は上記に例示する処理内容に限定するものではなく、任意の処理を選択できるような構成であってもよい。さらに、いくつかの処理内容から番号で選択するのではなく、インターネット上で画像処理を受けつける他のホスト上のＷｅｂサービスのアドレスを入力させるような構成であってもよい。
【００３７】
ユーザがフォーム３０１〜３０４のすべてに文字列や数字を入力した後に設定完了ボタン３０５を押すことにより、入力された文字列や数字が情報処理装置１０３へと送信される。
【００３８】
図２に戻り、ステップＳ２０２では、情報処理装置１０３が、所望する画像処理の内容設定として送られた文字列や数字などのデータに基づいてディスプレイ等に表示可能な可視のシンボル画像データを作成し、作成された画像データを操作装置１０２に返送する。
【００３９】
ここで、例えばステップＳ２０２は以下のように実現される。
【００４０】
図３のフォームで入力されたユーザ名文字列、パスワード文字列、処理内容番号及び転送先文字列のデータは、情報処理装置１０３内で、ユーザＩＤ（８ｂｉｔ）、処理番号（４ｂｉｔ）、転送先文字列（可変長ｂｉｔ）の連続するビット列である処理コードへと変換される。
【００４１】
なお、ユーザ名文字列及びパスワード文字列のデータからユーザＩＤへ変換の際に、ユーザ名とパスワードの対応をチェックして、不一致の場合はエラーを返すようにしてもよい。
【００４２】
前記処理コードは、さらに、例えば図４のような０ｂｉｔ＝細線、１ｂｉｔ＝太線で現わされる可視化シンボルを表現する画像へと変換され、操作装置１０２へ返送される。
【００４３】
なお、図４はあくまでも一例であり、ビット列の可視化シンボルの表現態様としては、二次元バーコードやその他の表現態様を用いてもよい。
【００４４】
ステップＳ２０３では、情報処理装置１０３より返送された処理コードが、操作装置１０２のディスプレイに可視化されたシンボルを含む画像として表示される。
【００４５】
ステップＳ２０４では、ユーザが操作装置１０２のディスプレイに表示されている可視化されたシンボルをデジタルカメラ１０１で撮影する。
【００４６】
ステップＳ２０５では、ユーザが所望の被写体をデジタルカメラ１０１で撮影する。
【００４７】
ここでは、一例として、ナンバープレートを有する車を撮影した形態を示す。撮影された画像例が図５に示されている。
【００４８】
ステップＳ２０６では、ユーザがデジタルカメラ１０１に対して画像の送信を指示すると、ステップＳ２０４で撮影したシンボルの画像とステップＳ２０５で撮影した被写体の画像が対応づけられて情報処理装置１０３へ送信される。
【００４９】
ここで、送信先は、情報処理装置１０３を示すＵＲＩであり、この情報は予めデジタルカメラ１０１に対して設定済みであるものとする。
【００５０】
また、ステップＳ２０４で撮影されたシンボルの画像とステップＳ２０５で撮影された被写体の画像とを関連付けるため、連続送信するものとする。
【００５１】
ステップＳ２０７では、情報処理装置１０３が、デジタルカメラ１０１より送信された画像のうち、ステップＳ２０４で撮影されたシンボルの画像を解析して、画像処理の内容設定用のコードを取得する。
【００５２】
ここで、情報処理装置１０３が、最初に受信した処理コードの画像に基づいて、例えば図４のような可視化シンボルを解析する場合について説明する。
【００５３】
まず画像を適切な閾値で二値化する。適切な閾値は撮影条件によって異なるため、例えば画像全域の輝度ヒストグラムを取って、ヒストグラムの形状から背景の画素値分布を推定し、その範囲よりも輝度の低い画素が１、それ以外が０となるような閾値を設定する。
【００５４】
次に、画素追跡をおこなって縦方向の線状の画素塊を抽出する。ここでは可視化シンボルが正しい向きで撮影されていることを想定しているが、ハフ変換などの公知の技法により、予め傾きを検出して画像を回転補正してもよい。この縦線状の画素塊が集中する範囲を可視化シンボルの範囲と仮定する。
【００５５】
そして、可視化シンボルの範囲の中で左から各画素塊をその太さによって０と１の２段階に判定していく。この判定の閾値は、例えば縦線の長さに対する２線の間隔の平均値の比など、予め定められた値を用いればよい。このようにして求められた０、１のビット列から可視化シンボルが示す処理コードを取得することができる。
【００５６】
なお、本解析手法はあくまでも一例であり、様々な公知の可視化シンボルとそのコード解析手法を用いてもよいことは勿論のことである。
【００５７】
ステップＳ２０８では、情報処理装置１０３がステップＳ２０７で得られた処理コードに従って、被写体の画像処理をおこなう。
【００５８】
ここでは、例えば被写体画像が図５であるとする。処理コードの画像から、＜ユーザＩＤ＝２６、処理内容＝「１．加工せずに下記へ送信」、転送先＝"bar@a_b.c"＞なる処理コードが検出された場合は、情報処理装置１０３は被写体画像をメールに添付して"bar@a_b.c"へと転送することができる。
【００５９】
また、例えば処理コードの画像から、＜ユーザＩＤ＝８１、処理内容＝「２．ノイズ除去をして下記へ送信」、転送先＝"http://a_.jp/:90003"＞なる処理コードが検出された場合は、情報処理装置１０３は被写体画像に公知のノイズ除去技術施した画像を、ＨＴＴＰメソッドを用いてホスト a_.jp のポート90003番に送信することができる。
【００６０】
また、例えば処理コードの画像から、<ユーザＩＤ＝３９、処理内容＝「３．画像から抽出した名前をつけて下記へ送信」、転送先＝foo@x_y.z＞なる処理コードが検出された場合は、情報処理装置１０３が公知の文字領域抽出技術によってナンバープレート領域を抽出し、この領域内を公知の文字認識技術により認識して文字コード列"８６−９１"を取得する。そして、この文字コード列を含む名前を被写体の画像ファイル名にして、転送先として指示されているメールアドレス"foo@x_y.z"へと送信する。
【００６１】
さらに、処理コードの画像から、＜ユーザＩＤ＝９３、処理内容＝「４．自動で分類先へ送信」＞なる処理コードが検出された場合は、情報処理装置１０３は公知の画像分類技術を用いて、被写体画像を予め定められた複数カテゴリのひとつに分類し、そのカテゴリに対して定められた転送先へと画像を転送する。
【００６２】
前記画像分類技術の例としては、エッジあるいは色の分布からなる画像特徴量をカテゴリ毎に定められた規準特徴量と比較し、最も近似するカテゴリへと分類する方法や、画像内に書かれた文字を公知の文字認識技術によって認識し、カテゴリ毎に定められたキーワードと一致するものが多いカテゴリへ分類する方法などがある。
【００６３】
なお、以上説明した処理内容あるいは転送手段はあくまでも一例であり、他の任意の公知処理や転送手段を用いてもよいことは勿論のことである。
【００６４】
また、各処理をおこなうのは情報処理装置１０３でなく、インターネット上に存在するＷｅｂサービスに処理を依頼する形態であってもよい。
【００６５】
以上説明したように、本実施の形態によれば、ユーザが外出先で携帯するデジタルカメラ１０１で撮影した画像を、無線通信で遠隔地の情報処理装置（画像処理サーバ）１０３へと送信して所望の処理をおこなわせる場合において、ＵＩ操作性能に優れた操作装置１０２（ＰＤＡ等）を用いて、情報処理装置１０３におこなわせたい処理内容を設定し、操作装置１０２はその設定内容を可視の処理コードとして情報処理装置１０３から受けとって表示部１２２に表示することができる。
【００６６】
そして、デジタルカメラ１０１でこの処理コードを撮影した画像と画像処理対象の被写体の画像を対応づけて送信することにより、情報処理装置１０３にて被写体画像に対し指定の画像処理がおこなわれる。これにより、高度なＵＩを備えないデジタルカメラ１０１から撮影画像を送信する場合でも、複雑なＵＩ操作を必要とする画像処理の設定を指示することが可能となる。また、操作装置１０２が備えるキーボード等を用いて設定を行えるので、設定を行いやすくなる。
【００６７】
また、処理コードの画像と処理対象である被写体の画像を多様な処理サービスを有する情報処理装置に対して送信することにより、所望の画像処理サービスを受けることができる。
【００６８】
また、この処理コードは動的に情報処理装置１０３から取得されるものなので、状況に応じた処理内容を柔軟に設定することができる。
【００６９】
特に、この処理コードは撮像情報としてデジタルカメラ１０１に入力されるので、デジタルカメラ１０１に特殊な入力手段を必要としないという利点がある。なお、上記ステップにおいて、デジタルカメラ１０１による被写体の撮影（ステップＳ２０５）が、操作装置１０２から情報処理装置１０３への画像処理内容の設定（ステップＳ２０１）に先んじておこなわれてもよい。
【００７０】
（第２の実施の形態）
次に、図６、７に基づいて、本発明の画像処理システムの第２の実施の形態を説明する。図６は、第２の実施の形態に係る画像処理システムの構成図を示したものである。
【００７１】
この画像処理システム６００は、携帯可能なデジタルカメラ６０１、パーソナルコンピュータ６０２、情報処理装置６０３（画像処理サーバ）から構成される。情報処理装置６０３はインターネット６０４上に存在して相互に通信が可能であり、デジタルカメラ６０１と情報処理装置６０３は、アクセスポイント６０５を通して無線公衆回線などの通信路６０６経由による通信が可能である。
【００７２】
デジタルカメラ６０１は、被写体を撮影して電子画像に変換する撮像部６１１と、撮影した画像を通信路６０６を通して無線で送信する送信部６１２を備えている。
【００７３】
パーソナルコンピュータ６０２は、キーボード、マウスなどユーザ指示を入力する入力部６２１、ディスプレイなどのデータを可視化する表示部６２２、データを送受信する送受信部６２３を備えている。パーソナルコンピュータ６０２は、ユーザの指示をインターネット６０４を通じて情報処理装置６０３に送信し、又は情報処理装置６０３の応答データを表示部６２２に表示する。
【００７４】
情報処理装置６０３は、パーソナルコンピュータ６０２から処理内容を示すデータに基づいてディスプレイ等に表示可能な可視のシンボル画像データを作成するデータ作成部６３１と、該作成された画像データをパーソナルコンピュータ６０２に返信する返信部６３２とを備えている。さらに、情報処理装置６０３は、デジタルカメラ６０１から受信したシンボル画像データを撮影した画像に基づいてデジタルカメラ６０１から受信した被写体の画像データを画像処理する画像処理部６３３とを備えている。
【００７５】
次に、本発明の画像処理システム６００の動作について、図7のフローチャートに基づいて以下に説明する。
【００７６】
ステップＳ７０１では、ユーザは自宅や勤務事務所などにあるパーソナルコンピュータ６０２から情報処理装置６０３に接続し、後に外出先でデジタルカメラ６０１から送信する画像に対して所望の画像処理内容を設定する操作をおこなう。
【００７７】
ステップＳ７０２では、情報処理装置６０３は所望の画像処理内容の設定に際し、送られた文字列や数字などのデータをコード化し、コード化されたデータに基づいてディスプレイ等に表示可能な可視のシンボル画像データを作成し、該作成された画像データをパーソナルコンピュータ６０２に返送する。
【００７８】
ステップＳ７０３では、パーソナルコンピュータ６０２のディスプレイにおいて、情報処理装置６０３より返送され、処理コードが可視化されたシンボルを含む画像として表示される。
【００７９】
ステップＳ７０４では、ユーザがパーソナルコンピュータ６０２のディスプレイに表示されている可視化されたシンボルを含む画像をデジタルカメラ６０１で撮影する。
【００８０】
ステップＳ７０５では、ユーザが外出先に出かけて所望の被写体をデジタルカメラ６０１で撮影する。
【００８１】
ステップＳ７０６では、ユーザがデジタルカメラ６０１に対して画像の送信を指示すると、ステップＳ７０４で撮影したシンボルの画像とステップＳ７０５で撮影した被写体の画像が対応づけられて情報処理装置６０３へ送信される。
【００８２】
ステップＳ７０７では、情報処理装置６０３が、デジタルカメラ６０１より送信された画像のうち、ステップＳ７０４で撮影されたシンボルの画像を解析して、画像処理の内容設定用のコードを取得する。
【００８３】
ステップＳ７０８では、情報処理装置６０３は、ステップＳ７０７で得られた処理コードに従って、被写体の画像処理をおこなう。
【００８４】
以上説明したように、本実施の形態によれば、ユーザが外出先で携帯するデジタルカメラ６０１で撮影した画像を、無線通信で遠隔地の情報処理装置（画像処理サーバ）６０３へと送信することで所望の画像処理をおこなわせる場合において、予め自宅や勤務事務所などにあるパーソナルコンピュータ６０２から情報処理装置６０３におこなわせたい処理内容を設定するとともに、その設定内容を可視の処理コードとして情報処理装置６０３から受けとってディスプレイに表示する。そして、デジタルカメラ６０１でこの処理コードを撮影した画像と外出先で撮影した被写体の画像データを対応づけて送信することにより、情報処理装置６０３にて被写体画像に対し所望の画像処理が実行される。このため、高度なＵＩを備えていないデジタルカメラ６０１から撮影画像を送信する場合でも、複雑なＵＩ操作を必要とする画像処理の設定を指示することが可能となる。
【００８５】
また、処理コードの画像と処理対象である被写体の画像を多様な処理サービスを有する情報処理装置に対して送信することにより、所望の画像処理サービスを受けることができる。
【００８６】
また、この処理コードは動的に情報処理装置６０３から取得されるものなので、状況に応じた処理内容を柔軟に設定することができる。
【００８７】
特に、この画像処理コードは撮影情報としてデジタルカメラ６０１に入力されるので、デジタルカメラ６０１に特殊な入力手段を必要としないという利点がある。
【００８８】
以上、本発明の実施の形態を図面を用いて詳述してきたが、具体的な構成はこの実施の形態に限定されるものではなく、本発明の要旨を逸脱しない範囲における設計変更等があっても、それらは本発明に含まれるものである。
【図面の簡単な説明】
【００８９】
【図１】本発明の第１の実施の形態に係る画像処理システムの概略構成を示した図である。
【図２】図１の画像処理システムの動作を示すフローチャートである。
【図３】操作装置に表示される設定ページの一例を示す図である。
【図４】ビットで表される処理コードを可視化シンボルを示す画像（バーコード）へ変換する例を示す図である。
【図５】被写体画像の一例を示した図である。
【図６】本発明の第２の実施の形態に係る画像処理システムの概略構成を示した図である。
【図７】図６の画像処理システムの動作を示すフローチャートである。
【符号の説明】
【００９０】
１００、６００  画像処理システム
１０１、６０１  デジタルカメラ（撮像装置）
１０２、６０２  操作装置
１０３、６０３  情報処理装置
１０４、６０４  インターネット
１１１、６１１  撮像部
１１２、６１２  送信部
１２１、６２１  入力部
１２２、６２２  表示部
１２３、６２３  送受信部
【図１】
2007282100.tif 000003
【図２】
2007282100.tif 000004
【図３】
2007282100.tif 000005
【図４】
2007282100.tif 000006
【図５】
2007282100.tif 000007
【図６】
2007282100.tif 000008
【図７】
2007282100.tif 000009